【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
インパクトミルであって、該インパクトミルは、ベアリングハウジングの中に回転可能に据え付けられたローターが配置された基部部分を備え、該ローターは、該ローターの回転軸と同軸の上向きに位置合わせされた円錐表面部分を有し、該ローターは、複数のインパクトナイフが提供された実質的に水平な上部表面を有し、該インパクトミルは、円錐研削経路を形成するために該ローターを囲む円錐トラックアセンブリーが中に設置されたミルケーシングを提供され、該ミルケーシングは、該ローターと該ミルケーシングとの間の研削ギャップを設定するように軸方向に調整されることが可能な下向きに位置合わせされた円筒状のカラーを有する、インパクトミル。
【請求項２】
前記円錐トラックアセンブリーは、複数の鋸歯状のインパクト表面を含む、請求項１に記載のインパクトミル。
【請求項３】
前記鋸歯状のインパクト表面は、該鋸歯状のインパクト表面が、前記ローターの回転軸に対して傾斜を形成するように配置される、請求項２に記載のインパクトミル。
【請求項４】
前記鋸歯状のインパクト表面の傾斜は、前記ローターの回転方向に対して正である、請求項３に記載のインパクトミル。
【請求項５】
前記鋸歯状のインパクト表面の傾斜は、前記ローターの回転方向に対して負である、請求項３に記載のインパクトミル。
【請求項６】
複数のインパクトナイフは、前記ローターの前記上向きに位置合わせされた円錐表面部分に配置される、請求項１に記載のインパクトミル。
【請求項７】
前記ローターの前記上向きに位置合わせされた円錐表面部分に配置された前記複数のインパクトナイフは、該ローターの前記回転軸から該ローターの前記上部表面上の周囲の縁まで外向きに半径が等間隔で配置されている、請求項１に記載のインパクトミル。
【請求項８】
前記ローターの前記回転軸から該ローターの上部表面上の周囲の縁まで外向きに半径が等間隔で配置された、３個〜７個の半径のインパクトナイフがある、請求項１に記載のインパクトミル。
【請求項９】
前記円錐トラックアセンブリーは、別個の円錐研削トラックセクションを備えている、請求項１に記載のインパクトミル。
【請求項１０】
前記別個の円錐研削トラックセクションは、前記円錐トラックアセンブリーを形成するようにインターロックされる、請求項９に記載のインパクトミル。
【請求項１１】
前記別個の円錐研削トラックセクションは、インターロック咬合切頭円錐である、請求項９に記載のインパクトミル。
【請求項１２】
前記別個の円錐研削トラックセクションは、それぞれ、鋸歯状のインパクト表面の異なる構成を含む、請求項９に記載のインパクトミル。
【請求項１３】
前記ローターに取り付けられ、スプロケット式駆動シーブを提供されるシャフトをさらに備え、該ローターは、同期スプロケット式ベルトによって回転され、該スプロケット式駆動シーブによって調節され、該ベルトは、電源と連絡する、請求項１に記載のインパクトミル。
【請求項１４】
前記同期ベルトは、前記スプロケット式ベルト内で調節された螺旋状刻み目を含み、該スプロケット式ベルトは、螺旋状のオフセット歯と、前記電源に接続された第２の同一シーブとを有する、請求項１３に記載のインパクトミル。
【請求項１５】
前記ベルト上の前記螺旋状刻み目および前記螺旋状のオフセット歯は山形形状である、請求項１４に記載のインパクトミル。
【手続補正２】
【補正対象書類名】明細書
【補正対象項目名】００２４
【補正方法】変更
【補正の内容】
【００２４】
本発明のさらなる実施形態に従って、インパクトミルは、基部部分を提供され、基部部分の上に、ベアリングアセンブリーの中に回転可能に据え付けられたローターが配置される。円錐形状のローターは、回転軸と同軸な上向きに位置合わせされた円錐表面部分を有する。複数のインパクトナイフは、円錐表面に据え付けられる。インパクトミルは、外側のミルケーシングを提供され、外側のミルケーシングは、ローターを囲む円錐研削トラックアセンブリーを支持する。ミルケーシングは、下向きに位置合わせされた円筒状のカラーを有し、円筒状のカラーは、ローターと研削トラックアセンブリーとの間の研削ギャップを設定するように軸方向に調整され得る。高速で動作するとき、ベルトのすべりおよび過度な騒音を緩和するために、インパクトミルのローターシャフトは、スプロケット式（ｓｐｒｏｃｋｅｔｅｄ）駆動シーブを提供され、ローターは、スプロケット式駆動シーブ上に収容され、動力源とつながっている同期スプロケット式ベルトによって回転される。
例えば、本発明は以下の項目を提供する。
（項目１）
インパクトミルであって、該インパクトミルは、ベアリングハウジングの中に回転可能に据え付けられたローターが配置された基部部分を備え、該ローターは、回転軸と同軸の上向きに位置合わせされた円錐表面部分を有し、該インパクトミルは、円錐研削経路を形成するために該ローターを囲む円錐トラックアセンブリーが中に設置されたミルケーシングを提供され、該ミルケーシングは、該ローターと該ミルケーシングとの間の研削ギャップを設定するように軸方向に調整され得る、下向きに位置合わせされた円筒状のカラーを有し、該ローターの該上部表面は、該ミルケーシングの内側ハウジング表面上に配置された複数のインパクトナイフに対して相補的な複数のインパクトナイフを提供される、インパクトミル。
（項目２）
上記ローター上に配置された上記インパクトナイフと、上記ミルケーシング上に配置された上記インパクトナイフとは、同一の形状および大きさを有する、項目１に記載のインパクトミル。
（項目３）
上記ローターの上記上部表面の上に配置された上記インパクトナイフと、上記ミルケーシングの上記内側ハウジング表面の上に配置された上記インパクトナイフとは、上記回転軸から半径が等間隔に配置され等距離にある、項目１に記載のインパクトミル。
（項目４）
上記ローターの上記上部表面および上記ミルケーシングの上記内側上部表面の上に、軸方向の軸から周囲の縁まで外向きに半径が等間隔で配置された、３〜７個の半径のインパクトナイフがある、項目３に記載のインパクトミル。
（項目５）
５個の半径のインパクトナイフが提供される、項目４に記載のインパクトミル。
（項目６）
複数のインパクトナイフは、上記ローターの外側の縁に配置される、項目１に記載のインパクトミル。
（項目７）
インパクトミルであって、該インパクトミルは、ベアリングハウジングの中に回転可能に据え付けられたローターが配置された基部部分を備え、該ローターは、回転軸と同軸の上向きに位置合わせされた円錐表面部分を有し、該インパクトミルは、円錐研削経路を形成するために、該ローターを囲む円錐研削トラックアセンブリーが中に設置されたミルケーシングを提供され、該ミルケーシングは、該ローターと該ミルケーシングとの間の研削ギャップを設定するように軸方向に調整され得る、下向きに位置合わせされた円筒状のカラーを有し、該円錐研削トラックアセンブリーは、別個の円錐研削トラックセクションで形成される、インパクトミル。
（項目８）
上記別個の円錐セクションは、インターロックされて研削トラックアセンブリーを形成する、項目７に記載のインパクトミル。
（項目９）
上記別個の円錐セクションは、インターロックし、かみ合う切頭円錐である、項目８に記載のインパクトミル。
（項目１０）
上記円錐研削トラックセクションの各々は、交互になったインパクトナイフの構成を提供される、項目７に記載のインパクトミル。
（項目１１）
三つの別個の円錐研削トラックセクションが提供される、項目７に記載のインパクトミル。
（項目１２）
インパクトミルであって、該インパクトミルは、ベアリングハウジングの中に回転可能に据え付けられたローターが配置された基部部分を備え、該ローターは、回転軸と同軸の上向きに位置合わせされた円錐表面部分を有し、該インパクトミルは、円錐研削経路を形成するために、該ローターを囲む円錐トラックアセンブリーが中に設置されたミルケーシングを提供され、該ミルケーシングは、該ローターと該ミルケーシングとの間の研削ギャップを設定するように軸方向に調整され得る、下向きに位置合わせされた円筒状のカラーを有し、該ローターは、スプロケット式駆動シーブを提供されるシャフトを提供され、該ローターは、該スプロケット式駆動シーブによって調整される同期スプロケット式ベルトによって回転され、該ベルトは動力源とつながっている、インパクトミル。
（項目１３）
上記同期ベルトは、螺旋状のオフセット歯を有する上記スプロケット式シーブと、上記動力源に接続された第二の同一のシーブとの中に収容された、螺旋状の溝を提供される、項目１２に記載のインパクトミル。
（項目１４）
上記ベルト上の螺旋状の溝と上記螺旋状のオフセット歯とは山形である、項目１３に記載のインパクトミル。